(57)【要約】【課題】簡単な操作によって、粘着剤の被転写面へのスポット状転写、ライン状転写のいずれにも選択して確実に転写できるようにすること。【解決手段】テープ基材２の片面に粘着剤３を有する転写テープ１を巻装する供給リール２０と、転写テープを巻き取る巻取リール３０と、転写テープの粘着剤を被転写面に転写する転写ヘッド４０とを具備する粘着転写具において、転写ヘッドは、一端が揺動可能に枢着され、自由端部に転写テープとの接触面が円弧状をなす第１の転写部４５ａと、第１の転写部と枢着部との間に平坦状の転写面４５ｃを有する第２の転写部４５ｂと、自由端側を被転写面側に付勢するばね部材４６を具備する。ばね部材の付勢力に抗して第２の転写部を被転写面に押圧して、粘着剤の被転写面へのスポット転写、又は、ばね部材の付勢力によって第１の転写部を被転写面に押圧した状態で移動させて、粘着剤の被転写面へのライン状の転写を行う。【選択図】    図３
2008279622.tif 000002
【特許請求の範囲】
【請求項１】
ケース内に、テープ基材の片面に粘着剤を有する転写テープを巻装する回転可能な供給リールと、上記供給リールから引き出された転写テープのテープ基材を巻き取る回転可能な巻取リールと、上記供給リールから引き出された転写テープの粘着剤を被転写面に転写する転写ヘッドと、を配設してなる粘着転写具であって、
上記転写ヘッドは、
一端が上記ケースに揺動可能に枢着され、自由端部に上記転写テープとの接触面が円弧状をなす第１の転写部を具備すると共に、第１の転写部と枢着部との間に位置する平坦状の転写面を有する第２の転写部を具備し、かつ、自由端側を被転写面側に付勢するばね部材を具備してなり、
上記ばね部材の付勢力に抗して上記第２の転写部を被転写面に押圧した後、第２の転写部を被転写面から後退して、上記粘着剤の被転写面へのスポット転写、又は、上記ばね部材の付勢力によって上記第１の転写部を被転写面に押圧した状態で、被転写面上を移動させて、上記粘着剤の被転写面へのライン状の転写のいずれかを選択的に行えるように形成してなる、
ことを特徴とする粘着転写具。
【請求項２】
上記第１の転写部が、転写ヘッドに回転自在に枢着されるローラである、ことを特徴とする請求項１記載の粘着転写具。
【請求項３】
上記第２の転写部の平坦状の転写面が、弾性を有する板部材によって形成されている、ことを特徴とする請求項１記載の粘着転写具。
【請求項４】
上記転写ヘッドにおける第２の転写部の転写面、及び第１の転写部を除く転写テープが接触する部分に、転写テープの移動を円滑にする滑りカバー部材を被着してなる、ことを特徴とする請求項１ないし３のいずれかに記載の粘着転写具。
【請求項５】
上記第２の転写部を被転写面から後退する際に、上記転写テープを上記巻取リールに巻き取る巻取機構を更に具備してなり、
上記巻取機構は、上記転写ヘッドの枢着部と同軸上に装着される扇形ギアと、この扇形ギアと噛合可能であって、上記供給リールの回転部と同軸上に装着される転写テープの引き出し方向のみに供給リールに回転を伝達する供給ギアと、この供給ギアと同軸上に装着される駆動ギアと、この駆動ギアに遊星ギアを介して噛合され、上記巻取リールの回転部と同軸上に装着される従動ギアとからなる、ことを特徴とする請求項１ないし４のいずれかに記載の粘着転写具。
【請求項６】
上記ばね部材の付勢力に抗して上記第２の転写部の全域が被転写面に押圧された際に、確認のための音を発する確認音発生機構を更に具備してなり、
上記確認音発生機構は、上記転写ヘッドの枢着部と同軸上に装着される回動部材と、上記ケースに一端が固定され、上記第２の転写部の全域が被転写面に押圧された際に上記回動部材に間欠的に係合し、かつ、間欠的に係合した際に振動して音を発生する、復元性を有する可撓爪部材とを具備する、ことを特徴とする請求項１ないし５のいずれかに記載の粘着転写具。
【請求項７】
上記回動部材が、上記供給リールの枢着部と同軸上に装着される転写テープの引き出し方向のみに回転可能な供給ギアと噛合可能な扇形ギアである、ことを特徴とする請求項６記載の粘着転写具。
【発明の詳細な説明】
【技術分野】
【０００１】
この発明は粘着転写具に関するもので、更に詳細には、テープ基材に担持された粘着剤をスポット状あるいは所定の長さのライン状に転写可能にした粘着転写具に関するものである。
【背景技術】
【０００２】
従来、例えばポスターや写真等の貼付や封筒の糊付け等にテープ基材の片面に粘着剤を担持した転写テープが使用されている。この転写テープはロール状にリールに巻装され、転写具のケースに配設されて使用されている。
【０００３】
上記転写テープから粘着剤を被転写面に転写する転写具は、例えば、本体ケース内に、テープ基材の片面に粘着剤を有する転写テープを巻装する回転可能な供給リールと、この供給リールから引き出された転写テープのテープ基材を巻き取る回転可能な巻取リールと、上記供給リールから引き出された転写テープの粘着剤を被転写面に転写する、転写面が平坦状の転写ヘッドと、を具備してなる。
【０００４】
このように構成される転写具において、粘着剤をスポット状に転写する場合には、ヘッドを被転写面の転写箇所に当接して、ヘッドの弾性体を押圧作動により圧縮変形することにより、転写テープの粘着剤を被転写面に転写し、また、粘着剤をライン状に転写する場合には、転写面の角部を被転写面に当接し、本体ケースを被転写面方向に押圧した状態で、被転写面に対し平行方向に移動させて、粘着剤をライン状に転写する転写具が知られている（例えば、特許文献１参照）。
【０００５】
また、別の転写具として、転写ヘッドを、互いに間隔をおいて配置されるほぼ平行な軸周りに回転可能な複数のローラと、これらローラの周囲に閉ループ・ベルトを装架した構造のものが知られている（例えば、特許文献２参照）。
【特許文献１】特開平１１−２２７３８６号公報（特許請求の範囲、図１，図２，図６）
【特許文献２】特表２００６−５１６９３１号公報（特許請求の範囲、図１１）
【発明の開示】
【発明が解決しようとする課題】
【０００６】
しかしながら、特許文献１に記載のものは、粘着剤をライン状に転写する場合には、平坦状の転写面の角部を被転写面に押圧した状態で、被転写面に対し平行方向に移動させるため、転写具を被転写面に対して傾斜させる必要がある。このように、転写具を被転写面に対して傾斜させて移動すると、転写テープの幅方向の当接状態で不安定になり、粘着剤の転写が不十分となる虞がある。また、平坦状の転写面の角部を被転写面に押圧するため、転写テープの小さい面積に過度の力が加わり、転写テープが損傷を受けるという問題もある。
【０００７】
これに対して、特許文献２に記載のものは、転写ヘッドが、互いに間隔をおいて配置されるほぼ平行な軸周りに回転可能な複数のローラと、これらローラの周囲に装架される閉ループ・ベルトとで構成されているため、特許文献１に記載のものに比べて小さな力で転写ヘッドを被転写面に押圧することができる。しかし、特許文献２に記載のものにおいては、間隔を置いて配置されたローラの周囲に閉ループ・ベルトを装架して転写ヘッドを構成するため、粘着剤をドット状に転写する場合に、転写ヘッドの平坦面を被転写面に当接して押圧すると、ローラ間の閉ループ・ベルトが被転写面から離れた方向に撓む虞があり、粘着剤が十分に転写できないという問題がある。
【０００８】
この発明は、上記事情に鑑みてなされたもので、簡単な操作によって、粘着剤の被転写面へのスポット状転写、あるいは、ライン状転写のいずれにも選択して確実に転写できるようにした粘着転写具を提供することを課題とする。
【課題を解決するための手段】
【０００９】
上記課題を解決するために、この発明は、ケース内に、テープ基材の片面に粘着剤を有する転写テープを巻装する回転可能な供給リールと、上記供給リールから引き出された転写テープのテープ基材を巻き取る回転可能な巻取リールと、上記供給リールから引き出された転写テープの粘着剤を被転写面に転写する転写ヘッドと、を配設してなる粘着転写具であって、上記転写ヘッドは、一端が上記ケースに揺動可能に枢着され、自由端部に上記転写テープとの接触面が円弧状をなす第１の転写部を具備すると共に、第１の転写部と枢着部との間に位置する平坦状の転写面を有する第２の転写部を具備し、かつ、自由端側を被転写面側に付勢するばね部材を具備してなり、上記ばね部材の付勢力に抗して上記第２の転写部を被転写面に押圧した後、第２の転写部を被転写面から後退して、上記粘着剤の被転写面へのスポット転写、又は、上記ばね部材の付勢力によって上記第１の転写部を被転写面に押圧した状態で、被転写面上を移動させて、上記粘着剤の被転写面へのライン状の転写のいずれかを選択的に行えるように形成してなる、ことを特徴とする（請求項１）。
【００１０】
このように構成することにより、ばね部材の付勢力に抗して第２の転写部を被転写面に押圧した後、第２の転写部を被転写面から後退することで、第２の転写部の平坦状の転写面によって押圧された転写テープの粘着剤が被転写面にスポット状に転写される。また、ばね部材の付勢力によって第１の転写部を被転写面に押圧した状態で、被転写面上を移動させることで、供給リールから引き出された転写テープは第１の転写部によって連続して被転写面に押圧され、転写テープの粘着剤が被転写面にライン状に転写される。
【００１１】
この発明において、上記第１の転写部は、転写テープとの接触面が円弧状に形成されていれば、転写ヘッドに固定されるものであってもよいが、好ましくは、第１の転写部を、転写ヘッドに回転自在に枢着されるローラによって形成する方がよい（請求項２）。
【００１２】
このように構成することにより、第１の転写部を被転写面に押圧した後の被転写面上の移動を円滑にすることができる。
【００１３】
また、この発明において、上記第２の転写部の平坦状の転写面を、弾性を有する板部材によって形成する方が好ましい（請求項３）。
【００１４】
このように構成することにより、第２の転写部の転写面を被転写面に押圧した際に、ばね部材の付勢力と板部材の弾性変形の相乗作用によって被転写面の凹凸を吸収することができる。
【００１５】
また、この発明において、上記転写ヘッドにおける第２の転写部の転写面、及び第１の転写部を除く転写テープが接触する部分に、転写テープの移動を円滑にする滑りカバー部材を被着する方が好ましい（請求項４）。
【００１６】
このように構成することにより、転写ヘッドと転写テープとの接触摩擦を小さくすることができ、転写テープの移動を円滑にすることができる。
【００１７】
また、この発明において、上記第２の転写部を被転写面から後退する際に、上記転写テープを上記巻取リールに巻き取る巻取機構を更に具備する方が好ましい。この場合、上記巻取機構は、上記転写ヘッドの枢着部と同軸上に装着される扇形ギアと、この扇形ギアと噛合可能であって、上記供給リールの回転部と同軸上に装着される転写テープの引き出し方向のみに供給リールに回転を伝達する供給ギアと、この供給ギアと同軸上に装着される駆動ギアと、この駆動ギアに遊星ギアを介して噛合され、上記巻取リールの回転部と同軸上に装着される従動ギアとからなる構成とする方が好ましい（請求項５）。
【００１８】
このように構成することにより、第２の転写部の転写面を被転写面に当接して押圧する際、転写ヘッドの回動に伴って扇形ギアが回動し、この扇形ギアが、供給リールの枢着部と同軸上に装着された供給ギアに噛合して、供給リールを回動しない状態で供給ギアを回動すると同時に、駆動ギアを回動し、遊星ギアを介して巻取リールの回転部と同軸上に装着された従動ギアを回動することで、転写ヘッドと巻取リールとの間の転写テープを巻取リールに巻き取ることができる。
【００１９】
また、この発明において、上記ばね部材の付勢力に抗して上記第２の転写部の全域が被転写面に押圧された際に、確認のための音を発する確認音発生機構を更に具備する方が好ましい。この場合、上記確認音発生機構は、上記転写ヘッドの枢着部と同軸上に装着される回動部材と、上記ケースに一端が固定され、上記第２の転写部の全域が被転写面に押圧された際に上記回動部材に間欠的に係合し、かつ、間欠的に係合した際に振動して音を発生する、復元性を有する可撓爪部材とを具備する構成とする方が好ましい（請求項６）。この場合、上記回動部材を、上記供給リールの枢着部と同軸上に装着される転写テープの引き出し方向のみに回転可能な供給ギアと噛合可能な扇形ギアによって形成する方が好ましい（請求項７）。
【００２０】
このように構成することにより、第２の転写部の転写面を被転写面に当接する際、転写ヘッドの回動に伴って回動部材が回動し、転写面の全域が被転写面に当接すると、回動部材が可撓爪部材に間欠的に係合し、可撓爪部材が振動して音を発生する。これにより、使用者は、第２の転写部の転写面の全域が被転写面に当接されたことを確認することができる。この場合、回動部材を、供給リールの枢着部と同軸上に装着される転写テープの引き出し方向のみに回転可能な供給ギアと噛合可能な扇形ギアによって形成することで、転写テープの引出し機構と確認音発生機構の構成部材の一部を共通して構成することができる（請求項７）。
【発明の効果】
【００２１】
この発明の粘着転写具によれば、上記のように構成されているので、以下のような効果が得られる。
【００２２】
（１）請求項１記載の発明によれば、ばね部材の付勢力に抗して第２の転写部を被転写面に押圧した後、第２の転写部を被転写面から後退することで、転写テープの粘着剤を被転写面にスポット状に転写し、また、ばね部材の付勢力によって第１の転写部を被転写面に押圧した状態で、被転写面上を移動させることで、転写テープの粘着剤を被転写面にライン状に転写することができるので、簡単な操作によって、粘着剤の被転写面へのスポット状転写、あるいは、ライン状転写を選択して確実に行うことができる。
【００２３】
（２）請求項２記載の発明によれば、第１の転写部を被転写面に押圧した後の被転写面上の移動を円滑にすることができるので、上記（１）に加えて、更に粘着剤のライン状転写を容易にすることができる。
【００２４】
（３）請求項３記載の発明によれば、第２の転写部の転写面を被転写面に押圧した際に、ばね部材の付勢力と板部材の弾性変形の相乗作用によって被転写面の凹凸を吸収することができるので、上記（１），（２）に加えて、更に被転写面への粘着剤の転写を確実にすることができる。
【００２５】
（４）請求項４記載の発明によれば、転写ヘッドと転写テープとの接触摩擦を小さくすることができ、転写テープの移動を円滑にすることができるので、上記（１）〜（３）に加えて、更に転写テープの転写ヘッドへの移動を円滑にすることができ、転写作業を効率よく行うことができる。
【００２６】
（５）請求項５記載の発明によれば、スポット状転写の動作と連動して転写テープの巻取機構を作動させて、転写テープを巻き取ることができるので、上記（１）〜（４）に加えて、更に転写テープの弛みを防止することができると共に、粘着剤の転写を確実にすることができる。
【００２７】
（６）請求項６記載の発明によれば、スポット状転写の際に、転写ヘッドの回動に伴って回動する回動部材が可撓爪部材に間欠的に係合し、可撓爪部材が振動して音を発生することで、使用者は、第２の転写部の転写面の全域が被転写面に当接されたことを確認することができるので、上記（１）〜（５）に加えて、更にスポット状転写を確実に行うことができる。この場合、回動部材を、供給リールの枢着部と同軸上に装着される転写テープの引き出し方向のみに回転可能な供給ギアと噛合可能な扇形ギアによって形成することで、転写テープの引出し機構と確認音発生機構の構成部材の一部を共通して構成することができるので、構成部材の削減が図れると共に、粘着転写具を小型に形成することができる（請求項７）。
【発明を実施するための最良の形態】
【００２８】
以下に、この発明の最良の実施形態を添付図面に基づいて詳細に説明する。
【００２９】
図１は、この発明に係る粘着転写具の要部を示す正面概略斜視図、図２は、粘着転写具の要部を示す背面概略斜視図、図３は、粘着転写具の要部を示す正面断面図（ａ）、（ａ）のＩ部拡大断面図（ｂ）及び背面断面図（ｃ）である。
【００３０】
上記粘着転写具は、ケース１０と、テープ基材２の片面に粘着剤３を有する転写テープ１を巻装する回転可能な供給リール２０と、供給リール２０から引き出された転写テープ１のテープ基材２を巻き取る回転可能な巻取リール３０と、供給リール２０から引き出された転写テープ１の粘着剤３を被転写面４に転写する転写ヘッド４０と、巻取リール３０に転写テープ１を巻き取る巻取機構５０と、ドット状の転写時に確認音を発生する確認音発生機構６０と、を具備している。
【００３１】
上記転写テープ１は、例えば剥離紙によって形成されるテープ基材２の片面に、例えばアクリル系粘着剤からなる粘着剤３を例えばテープ基材２の長手方向及び幅方向に千鳥状、あるいは、等間隔に配置してパターン化した感圧テープによって形成されている。
【００３２】
上記ケース１０は、図４に示すように、略楕円形状のベース部１２の周縁に起立壁部１３を設けたケース本体１１と、ケース１０内に配設される供給リール２０，巻取リール３０及び転写ヘッド４０を支持する仕切板１４と、ケース本体１１の開口部を開閉可能に塞ぐカバー体１５とで構成されている。この場合、ケース本体１１とカバー体１５は、透明性の例えばポリスチレン樹脂等の合成樹脂製部材によって形成されている。また、カバー体１５の一端部には、転写ヘッド４０が出没可能なように切欠部１６が設けられている。また、仕切板１４は、例えばポリアセタール樹脂等の不透明な合成樹脂によって形成されている。なお、ケース本体１１の起立壁部１３における切欠部１６と対向する側には、後述する転写テープ１の交換用カートリッジ７０が取り付け及び取り外しが可能なように一対のスリット１７が設けられている。
【００３３】
また、ケース本体１１のベース部１２には、このベース部１２の略中央部に位置し、供給リール２０を回転可能に取り付けるための第１の支持軸１８ａと、この第１の支持軸１８ａよりベース部１２の端部側に位置し、巻取リール３０を回転可能に取り付けるための第２の支持軸１８ｂと、第２の支持軸１８ｂと反対の端部側に位置し、転写ヘッド４０を揺動可能に取り付けるための第３の支持軸１８ｃが突設されている。
【００３４】
第１の支持軸１８ａには、駆動ギア５１と、この駆動ギア５１より小径の供給ギア５２がそれぞれ回転可能に枢着されている。この場合、駆動ギア５１には、第１の支持軸１８ａに回転可能に枢着される回転筒部５１ａが突設されており、この回転筒部５１ａに供給リール２０が着脱可能に装着されている。また、供給ギア５２と駆動ギア５１には転写テープ１の引き出し方向のみに供給リール２０に回転を伝達するクラッチ機構５５が組み込まれている。このクラッチ機構５５は、図７に示すように、供給ギア５２の同心円上の２箇所に円弧状に突設された弾性変形可能なラチェット爪５５ａと、駆動ギア５１の同心円上に設けられ、ラチェット爪５５ａが係合可能なラチェット内歯５５ｂとで構成されている。このクラッチ機構５５により、スポット状転写時に、供給ギア５２と、後述する扇形ギア４１が噛合したときに、供給リール２０を回動させずに供給ギア５２が回動する。
【００３５】
第２の支持軸１８ｂには、従動ギア５４が回転可能に枢着されている。この従動ギア５４には、第２の支持軸１８ｂに回転可能に枢着される鍔付き回転筒部５４ａが突設されており、この回転筒部５４ａに逆転防止機構５６とブレーキ機構５７を介して巻取リール３０が着脱可能に装着されている。
【００３６】
この場合、逆転防止機構５６は、図２に示すように、従動ギア５４と一体に設けられた鍔部５４ｂの外周に弾性変形可能に突設されたラチェット爪５４ｃと、仕切板１４に設けられた回転筒部５４ａを貫挿する貫通孔１４ｂの周縁に設けられ、ラチェット爪５４ｃが係合可能なラチェット内歯５４ｄとで構成されている。また、ブレーキ機構５７は、回転筒部５４ａの外周に隙間をおいて嵌装され、一端が回転筒部５４ａの鍔部５４ｂに接触するコイルばね５７ａと、このコイルばね５７ａを包囲すると共に、コイルばね５７ａの他端に接触するキャップ本体５７ｂと、を具備し、キャップ本体５７ｂから突出する脚部５７ｃを、回転筒部５４ａの内方に挿入し、先端部に設けた係止爪５７ｄを回転筒部５４ａの開口縁に係合するように構成されている。このように構成されるブレーキ機構５７によれば、コイルばね５７ａの弾発力による摩擦によって巻取リール３０の回転をガタツキのない状態に安定させることができる。
【００３７】
なお、巻取リール３０の表面側のフランジ部３１の周辺部には、同心円上に等間隔に複数の小孔３２が穿設されている。また、このフランジ部３１の表面には巻取方向を表示する矢印３３が施されている。このように、巻取リール３０のフランジ部３１に小孔３２と矢印３３を設けることにより、使用中に転写テープ１の巻き取りが弛んだ際に、ケース１０のカバー体１５に設けられた窓穴１５ａを介して挿入される操作ピン(図示せず)を小孔３２に係合して、巻取リール３０を巻取方向に回動することができる。
【００３８】
第３の支持軸１８ｃには、扇形ギア４１が回転可能に枢着されている。この扇形ギア４１には、第３の支持軸１８ｃに回転可能に枢着される回転筒部４１ａが突設されており、この回転筒部４１ａに転写ヘッド４０の一端に突設された突軸４２が嵌挿されている。また、扇形ギア４１の表面側の中間部には同心円状の円弧溝部４３が突設されており、この円弧溝部４３の溝内に、転写ヘッド４０に突設された円弧状凸部４４が嵌合されて、転写ヘッド４０と扇形ギア４１が一体的に構成されている。
【００３９】
上記巻取機構５０は、転写ヘッド４０の枢着部に装着される扇形ギア４１、この扇形ギア４１に噛合可能であって、供給リール２０の回転部と同軸上に装着される、転写テープ１の引き出し方向のみに供給リール２０に回転を伝達する供給ギア５２と、この供給ギア５２と同軸上に装着される駆動ギア５１と、この駆動ギア５１に遊星ギア５３を介して噛合され、巻取リール３０の回転部と同軸上に装着される従動ギア５４とで構成されている。
【００４０】
このように構成される巻取機構５０によれば、第２の転写部４５ｂの転写面４５ｃを被転写面４に当接して押圧する際、転写ヘッド４０の回動に伴って扇形ギア４１が回動し、この扇形ギア４１が供給ギア５２に噛合して、供給リール２０を回動しない状態で供給ギア５２を回動すると同時に、駆動ギア５１を回動し、遊星ギア５３を介して従動ギア５４を回動することで、転写ヘッド４０と巻取リール３０との間の転写テープ１を巻取リール３０に巻き取ることができる。したがって、スポット状転写のときに、ばね部材４６の付勢力に抗して転写ヘッド４０を揺動することによって生じる転写テープ１の弛みを防止することができる。
【００４１】
なお、巻取機構５０を構成する扇形ギア４１，供給ギア５２，駆動ギア５１，遊星ギア５３及び従動ギア５４は、それぞれ引張強度及び曲げ強度に優れた材質、例えばポリアセタール樹脂等の合成樹脂によって形成されている。
【００４２】
一方、上記転写ヘッド４０は、上述したように、第３の支持軸１８ｃに回転可能に枢着される扇形ギア４１の回転筒部４１ａに突軸４２が嵌挿されることで、一端がケース１０のベース部１２に突設された第３の支持軸１８ｃに揺動可能に構成されている。この転写ヘッド４０は、他端の自由端部に転写テープ１との接触面が円弧状をなす第１の転写部４５ａを具備すると共に、第１の転写部４５ａと枢着部(第３の支持軸１８ｃ部)との間に位置する平坦状の転写面４５ｃを有する第２の転写部４５ｂを具備し、かつ、自由端側を被転写面４側に付勢するばね部材４６を具備している。なお、転写ヘッド４０は、扇形ギア４１の円弧溝部４３と嵌合する円弧状凸部４４を裏面側に突設し、下面に転写面４５ｃを有するヘッド基部４０ａと、このヘッド基部４０ａの表面側に連結されるヘッド前部４０ｂと、連結されたヘッド基部４０ａとヘッド前部４０ｂを被嵌するヘッドカバー４０ｃとで構成されている。これらヘッド基部４０ａ，ヘッド前部４０ｂ及びヘッドカバー４０ｃは、それぞれ例えば耐衝撃性ポリスチレン樹脂等の合成樹脂製部材によって形成されている。
【００４３】
この場合、第１の転写部４５ａは、転写ヘッド４０の自由端部の開口部４７に回転自在に枢着される回転軸４８ａと、この回転軸４８ａの外周に被着される例えばシリコン製の転写ローラ４８ｂによって形成されている。
【００４４】
第２の転写部４５ｂは、転写ヘッド４０における第１の転写部４５ａと枢着部との間に設けられた凹溝４９ａ内に嵌挿される断面略台形状の例えば耐衝撃性ポリスチレン樹脂等の合成樹脂製部材によって形成されるヘッドピース４９ｂによって形成されており、転写面４５ｃを形成するヘッドピース４９ｂの表面には例えば弾性を有する板部材、例えば不織布や合成ゴム製部材によって形成されるクッション部材９０が接着されている。また、クッション部材９０の表面側には、転写テープ１の移動を円滑にする第１の滑りカバー部材１０１が被着されている。なお、第２の転写部４５ｂは必ずしもヘッドピース４９ｂによって形成する必要はなく、転写ヘッド４０に一体に形成してもよい。
【００４５】
また、転写ヘッド４０における第１の転写部４５ａを除く転写テープ１が接触する部分には、転写テープ１の移動を円滑にする第２の滑りカバー部材１０２が被着されている。なお、カバー体１５の切欠部１６における第１の転写部４５ａと対向する部分には、転写テープ１の移動を円滑にする第３の滑りカバー部材１０３が被着されている。
【００４６】
上記のように、転写ヘッド４０に第１の滑りカバー部材１０１と第２の滑りカバー部材１０２を被着し、カバー体１５の第１の転写部４５ａと対向する部位に第３の滑りカバー部材１０３を被着することにより、転写ヘッド４０を移動する転写テープ１の移動を円滑にすることができると共に、転写ヘッド４０との摩擦によって生じる転写テープ１の損傷を防止することができる。
【００４７】
ばね部材４６は、例えば第３の支持軸１８ｃに回転可能に枢着される扇形ギア４１の回転筒部４１ａに巻装され、一端がケース本体１１のベース部１２に突設される係止溝部１２ａに係止し、他端が転写ヘッド４０に係止する、ねじりコイルばねによって形成されている。このように形成されるばね部材４６の付勢力すなわち弾発力によって転写ヘッド４０の自由端側が被転写面４側に押圧される。なお、ばね部材４６は、転写ヘッド４０の自由端部側すなわち第１の転写部４５ａ側を被転写面４側に弾性力を付勢するものであれば、ねじりコイルばね以外のばね部材であってもよい。
【００４８】
上記確認音発生機構６０は、転写ヘッド４０の枢着部と同軸上に装着される回動部材例えば扇形ギア４１、ケース本体１１のベース部１２に一端が固定され、第２の転写部４５ｂの全域が被転写面４に押圧された際に扇形ギア４１に間欠的に係合し、かつ、間欠的に係合した際に振動して音を発生する、復元性を有する可撓爪部材６１とで構成されている。この場合、可撓爪部材６１は、ケース本体１１のベース部１２に突設された２本の固定柱１２ｂに嵌合される２つの嵌合孔６２を有する略楕円形状の固定部６３と、この固定部６３の上端側部から下方側に向かって湾曲状に垂下する先端に尖形状の爪部６４とで構成されている。このように構成される可撓爪部材６１は、引張強度及び曲げ強度に優れた可撓性を有する材質、例えばポリアセタール樹脂等の合成樹脂によって形成されている。
【００４９】
上記のように、扇形ギア４１可撓爪部材６１とで確認音発生機構６０を構成することにより、巻取機構５０を構成する扇形ギア４１を共通して使用することができるので、構成部材の削減が図れると共に、粘着転写具を小型に形成することができる。
【００５０】
なお、上記巻取機構５０と確認音発生機構６０を構成する扇形ギア４１，供給ギア５２，駆動ギア５１，遊星ギア５３，従動ギア５４及び可撓爪部材６１を、ケース本体１１内に配設するには、予め仕切板１４に、これら扇形ギア４１，供給ギア５２，駆動ギア５１，遊星ギア５３，従動ギア５４及び可撓爪部材６１を取り付けた後、ケース本体１１内に配設する。
【００５１】
すなわち、図４に示すように、まず、駆動ギア５１に突設された回転筒部５１ａを貫挿する貫通孔１４ａと、従動ギア５４に突設された鍔付き回転筒部５４ａを貫挿する貫通孔１４ｂと、扇形ギア４１に突設された回転筒部４１ａを嵌挿する貫通孔１４ｃ及び扇形ギア４１に突設された円弧溝部４３を貫挿する円弧状孔１４ｄを有する仕切板１４を介して、この仕切板１４の一方の面(裏面)に、扇形ギア４１，供給ギア５２，駆動ギア５１，遊星ギア５３，従動ギア５４及び可撓爪部材６１を配置し、他方の面(表面)に、カートリッジ８０によって回転可能に保持された転写テープ１を巻装した供給リール２０と巻取リール３０を配置する。
【００５２】
次に、仕切板１４と共に扇形ギア４１，供給ギア５２，駆動ギア５１，遊星ギア５３，従動ギア５４及び可撓爪部材６１と、供給リール２０及び巻取リール３０を、ケース本体１１内に収容する。この際、仕切板１４の裏面側に突設された弾性変形可能な係止爪１４ｅをケース本体１１のベース部１２に突設された係止受け部１２ｃにスナップ嵌合して、仕切板１４をケース本体１１に固定する(図４参照)。そして、ケース本体１１の開口部１１ａにカバー体１５を被着て組み付けを終了し、使用に供することができる。
【００５３】
なお、不使用時には、ケース本体１１とカバー体１５の切欠部１６側に、例えばポリプロピレン等の合成樹脂製部材によって形成されるキャップ１９を被着して、カバー体１５の切欠部１６から突出する転写ヘッド４０をキャップ１９によって被覆する。このキャップ１９もケース本体１１及びカバー体１５と同様に透明に形成されている。
【００５４】
上記のように構成することにより、ケース１０の表裏面側を区画する不透明の仕切板１４によって、裏面側に扇形ギア４１，供給ギア５２，駆動ギア５１，遊星ギア５３，従動ギア５４及び可撓爪部材６１を配置し、表面側に供給リール２０，巻取リール３０及び転写テープ１を配置することができる。したがって、透明性のケース１０の表面からは供給リール２０，巻取リール３０及び転写テープ１が目視でき、裏面側からは扇形ギア４１，供給ギア５２，駆動ギア５１，遊星ギア５３，従動ギア５４及び可撓爪部材６１を目視することができる。
【００５５】
なお、転写テープ１を交換する場合は、図９に示すように、新規の転写テープ１を巻装した供給リール２０と空の巻取リール３０をカートリッジ８０の保持爪８１，８２で固定し、この固定された供給リール２０と巻取リール３０を仮保持する交換用カートリッジ７０を用いて転写テープ１を交換する。
【００５６】
交換用カートリッジ７０は、例えばポリプロピレン等の合成樹脂製部材によって形成されている。この交換用カートリッジ７０は、図１０に示すように、巻取リール３０の巻取胴部３０ａの半分の領域を保持する円弧状帯片からなる第１の保持部７１と、この第１の保持部７１から外方に延在し、供給リール２０に巻装された転写テープ１の外周を保持する第２の保持部７２と、第１の保持部７１と第２の保持部７２の幅方向の一端から外方に折曲される折曲片７３と、折曲片７３における第１の保持部７１側の外方に延在する摘み片７４と、折曲片７３における摘み片７４の近傍に対峙して設けられる一対の係止片７５を具備している。この場合、第２の保持部７２は、第１の保持部７１の一端部から直状に延在する保持片７６と、第１の保持部７１の他端部から拡開方向に延在し、先端部が内方側に屈曲する屈曲保持片７７とで構成され、保持片７６と屈曲保持片７７とが相対的に接離方向に弾性変形することで、供給リール２０に巻装された転写テープ１の外周を保持する。
【００５７】
上記のように構成される交換用カートリッジ７０を用いて転写テープ１を交換するには、まず、両端に保持爪８１，８２を有するカートリッジ８０によって回転可能に保持された供給リール２０と巻取リール３０を交換用カートリッジ７０によって仮保持する。次に、図１０（ａ）に示すように、カバー体１５を開放した空のケース本体１１内に交換用カートリッジ７０と共に新規の転写テープ１を巻装した供給リール２０と巻取リール３０を収容する。この際、交換用カートリッジ７０に設けられた一対の係止片７５を、ケース本体１１の起立壁部１３に設けられたスリット１７に挿入する。そして、ケース本体１１の外方に突出する摘み片７４を引っ張って係止片７５をスリット１７から外方へ移動し交換用カートリッジ７０の仮保持状態を解き、交換用カートリッジ７０を外方へ取り出して転写テープ１の交換を完了する（図１０（ｂ）参照）。その後、カバー体１５を閉じて使用に供することができる。
【００５８】
次に、上記実施形態に係る粘着転写具の動作態様について説明する。
【００５９】
＜スポット転写＞
被転写面４に粘着剤３をスポット状に転写するには、まず、粘着転写具を被転写面４の転写する位置の上方に移動する（図８（ａ）参照）。
【００６０】
次に、転写ヘッド４０の自由端側すなわち第１の転写部４５ａを被転写面４に当接した状態で、ばね部材４６の付勢力に抗して第２の転写部４５ｂを被転写面４に押圧する（図８（ｂ）参照）。このとき、転写ヘッド４０の回動に伴って扇形ギア４１が回動し、転写面４５ｃの全域が被転写面４に当接すると、扇形ギア４１が可撓爪部材６１の爪部６４に間欠的に係合し、可撓爪部材６１が振動して音を発生する。これにより、使用者は、第２の転写部４５ｂの転写面４５ｃの全域が被転写面４に当接されたことを確認することができる。
【００６１】
また、転写ヘッド４０の回動に伴って扇形ギア４１が回動し、この扇形ギア４１が供給ギア５２に噛合して、供給リール２０を回動しない状態で供給ギア５２を回動すると同時に、駆動ギア５１を回動する。この駆動ギア５１の回動に伴って遊星ギア５３を介して従動ギア５４が回動すると共に、巻取リール３０を巻き取り方向に回動する。これにより、巻取リール３０と転写ヘッド４０の自由端側との間の転写テープ１（具体的にはテープ基材２）が巻取リール３０に巻き取られて、ばね部材４６の付勢力に抗して転写ヘッド４０を揺動することによって生じる弛みが防止される。
【００６２】
次に、第２の転写部４５ｂを被転写面４から後退することで、転写テープ１の粘着剤３が被転写面４にスポット状に転写される（図８（ｃ）参照）。第２の転写部４５ｂを被転写面４から後退すると、ばね部材４６の付勢力によって転写ヘッド４０と扇形ギア４１が元の位置に回動し、扇形ギア４１が供給ギア５２に噛合して、供給リール２０を回動する一方、駆動ギア５１も回動し、駆動ギア５１の回動に伴って遊星ギア５３を介して従動ギア５４が回動する。これにより、供給リール２０から転写テープ１が引き出されると共に、巻取リール３０に巻き取られ、転写ヘッド４０に未使用の転写テープ１がセットされる。
【００６３】
＜ライン状転写＞
被転写面４に粘着剤３をライン状に転写するには、まず、粘着転写具を被転写面４の転写する位置の上方に移動する（図９（ａ）参照）。
【００６４】
次に、第１の転写部４５ａを被転写面４に当接し、ばね部材４６の付勢力によって第１の転写部４５ａを被転写面４に押圧する（図９（ｂ）参照）。この状態で、粘着転写具を被転写面４に対して平行移動することで、第１の転写部４５ａが被転写面４上を移動して、転写テープ１の粘着剤３が被転写面４にライン状に転写される（図９（ｃ）参照）。このとき、粘着転写具の移動に伴って転写テープ１は供給リール２０から引き出され、供給リール２０が回動する。供給リール２０の回動に伴って駆動ギア５１が回動し、駆動ギア５１の回動に伴って遊星ギア５３を介して従動ギア５４が回動して巻取リール３０が回動して転写テープ１（具体的にはテープ基材２）を巻き取る。
【００６５】
粘着転写具を移動して、粘着剤３を所定の長さ転写した後、第１の転写部４５ａを被転写面４から後退することで、転写テープ１の粘着剤３が被転写面４に所定の長さライン状に転写される（図９（ｄ）参照）。
【００６６】
なお、上記実施形態では、転写テープ１の粘着剤３をテープ基材２の長手方向及び幅方向に千鳥状、あるいは、等間隔に配置してパターン化した場合について説明したが、粘着剤３の形態は必ずしもこれに限定されるものではない。例えば、テープ基材２の片面に適宜間隔をおいて互いに平行に配置される複数の帯状の粘着剤を担持させたものや、転写面４５ｃより小さい面積を有する粘着剤を、適宜間隔をおいて配置したものなど任意のパターン化したものを使用することができる。
【図面の簡単な説明】
【００６７】
【図１】この発明に係る粘着転写具の要部を示す概略正面斜視図である。
【図２】上記粘着転写具の要部を示す概略背面斜視図である。
【図３】上記粘着転写具の要部を示す正面断面図（ａ）、（ａ）のＩ部拡大断面図（ｂ）及び粘着転写具の要部を示す背面断面図（ｃ）である。
【図４】上記粘着転写具の要部を示す分解斜視図である。
【図５】この発明における転写ヘッドを示す斜視図（ａ）、転写ヘッドの正面図（ｂ）及び転写ヘッドの背面図（ｃ）である。
【図６】上記転写ヘッドの分解斜視図である。
【図７】この発明における供給リール，巻取リール、巻取機構及び確認音発生機構を構成する部材を示す分解斜視図である。
【図８】スポット状転写を行う場合の動作態様を示す概略断面図で、（ａ）は転写前の状態、（ｂ）はスポット状転写時の状態、（ｃ）はスポット状転写後の状態である。
【図９】ライン状転写を行う場合の動作態様を示す概略断面図で、（ａ）は転写前の状態、（ｂ）はライン状転写開始時の状態、（ｃ）はライン状転写中の状態、（ｄ）はライン状転写後の状態である。
【図１０】この発明における転写テープのカートリッジと交換用カートリッジを示す斜視図である。
【図１１】転写テープの交換状態を示す概略斜視図である。
【符号の説明】
【００６８】
１  転写テープ
２  テープ基材
３  粘着剤
４  被転写面
１０  ケース
１１  ケース本体
１４  仕切板
１５  カバー体
２０  供給リール
３０  巻取リール
４０  転写ヘッド
４１  扇形ギア（回動部材）
４５ａ  第１の転写部
４５ｂ  第２の転写部
４５ｃ  転写面
４６  ばね部材
４８ｂ  転写ローラ
５０  巻取機構
５１  駆動ギア
５２  供給ギア
５３  遊星ギア
５４  従動ギア
５５  クラッチ機構
５６  逆転防止機構
６０  確認音発生機構
６１  可撓爪部材
９０  クッション部材（板部材）
１０１  第１の滑りカバー部材
１０２  第２の滑りカバー部材
１０３  第３の滑りカバー部材
【図１】
2008279622.tif 000003
【図２】
2008279622.tif 000004
【図３】
2008279622.tif 000005
【図４】
2008279622.tif 000006
【図５】
2008279622.tif 000007
【図６】
2008279622.tif 000008
【図７】
2008279622.tif 000009
【図８】
2008279622.tif 000010
【図９】
2008279622.tif 000011
【図１０】
2008279622.tif 000012
【図１１】
2008279622.tif 000013